(57)【要約】【課題】多面体壁を構成する単位パネルの復元音を大きくし、単位パネルが復元する視覚的効果と同時に聴覚的効果を加えた陽圧缶を提供する。【解決手段】缶胴を有する缶本体と、該缶本体を陽圧状態で密閉する缶蓋とを備えた陽圧缶において、前記缶胴の少なくとも一部に凸状の境界稜線によって区画された多数の単位パネルで構成される多面体壁を有し、前記単位パネルは、内圧が加わらない自由状態では前記缶胴の中心軸線と平行方向の断面形状が缶胴の内方に円弧状に窪んだ形状で、前記缶胴に作用する内圧によって窪みが小さくなる方向に変形し、缶蓋の開封時に元の形状に復元し、復元する際に復元音を発する構成で、開封前の内圧が１２０〜１５０ｋＰａにおける前記各単位パネルの最大デプス変化量の平均値が、０．４６ｍｍ以上で、かつ、１．０８ｍｍ以下の範囲に設定されていることを特徴とする。【選択図】図１
2019131292.tif 000002
【特許請求の範囲】
【請求項１】
缶胴を有する缶本体と、該缶本体を陽圧状態で密閉する缶蓋とを備えた陽圧缶において、
前記缶胴の少なくとも一部に凸状の境界稜線によって区画された多数の単位パネルで構成される多面体壁を有し、
前記単位パネルは、内圧が加わらない自由状態では前記缶胴の中心軸線と平行方向の断面形状が缶胴の内方に円弧状に窪んだ形状で、前記缶胴に作用する内圧によって窪みが小さくなる方向に変形し、缶蓋の開封時に元の形状に復元し、復元する際に復元音を発する構成で、
前記各単位パネルの最大デプス変化量の平均値が、０．４６ｍｍ以上で、かつ、１．０８ｍｍ以下の範囲に設定されていることを特徴とする陽圧缶。
【請求項２】
缶胴を有する缶本体と、該缶本体を陽圧状態で密閉する缶蓋とを備えた陽圧缶において、
前記缶胴の少なくとも一部に凸状の境界稜線によって区画された多数の単位パネルで構成される多面体壁を有し、
前記単位パネルは、内圧が加わらない自由状態では前記缶胴の中心軸線と平行方向の断面形状が缶胴の内方に円弧状に窪んだ形状で、前記缶胴に作用する内圧によって窪みが小さくなる方向に変形し、缶蓋の開封時に元の形状に復元し、復元する際に復元音を発する構成で、
前記最大デプス変化量の最大値が、０．５９ｍｍ以上で、かつ、１．３１ｍｍ以下の範囲に設定されていることを特徴とする陽圧缶。
【請求項３】
前記復元音の音圧レベルが、前記缶胴から４０ｃｍ離れた位置において、７５ｄＢ以上に設定されていることを特徴とする請求項１又は２に記載の陽圧缶。
【請求項４】
前記多面体壁は、缶胴の面積の２５％以上である請求項１乃至３のいずれか１項に記載の陽圧缶。
【請求項５】
前記単位パネルは、内圧が加わらない自由状態において、前記単位パネルの中心を通る前記缶胴の中心軸線と直交方向の断面形状が、直線状に対して前記缶胴の内方に窪んだ形状となっている請求項１乃至４のいずれか１項に記載の陽圧缶。
【請求項６】
前記最大デプス変化量の平均値の大きさは、前記単位パネルの大きさと関係し、前記単位パネルの大きさが大きい方が前記最大デプス変化量が大きくなる関係で、前記単位パネルの大きさと単位パネルの数との関係は、前記単位パネルの大きさが大きい方が、前記単位パネルの個数は少なくなる関係となっている請求項１乃至５のいずれか１項に記載の陽圧缶。
【請求項７】
前記単位パネルの個数は、６５個以上で１１７個以下に設定されている請求項１乃至６のいずれか１項に記載の陽圧缶。
【請求項８】
自由状態の前記多面体壁は、軸方向に山部と谷部が交互に形成される波打ち曲面が、周方向に複数形成され、前記波打ち曲面は、缶胴の中心軸線を通る中心面に対して対称形状の前記境界稜線を構成する波形稜線で区画されており、前記波形稜線間の間隔の狭い部分が波打ち曲面の山部、間隔の広い部分が谷部となっており、前記単位パネルは、前記波打ち曲面の一つの山部の頂部から谷部を経て次の山部の頂部までの領域であり、山部の頂部によって、上下の単位パネルが区分される構成である請求項１乃至７のいずれか１項に記載の陽圧缶。
【請求項９】
前記最大デプス変化量は、開封前の内圧が２０〜３００ｋＰａにおける最大デプス変化量である請求項１乃至８のいずれか１項に記載の陽圧缶。
【請求項１０】
前記開封前の内圧が１２０〜１５０ｋＰａである請求項９に記載の陽圧缶。
【発明の詳細な説明】
【技術分野】
【０００１】
本発明は、たとえば、ビール、酎ハイ等の炭酸系飲料用の缶、内容物の酸化を防ぐ不活性ガスが封入された缶等、缶胴に内圧が作用する陽圧缶に関し、特に、缶胴に複数の単位パネルによって構成される多面体壁を有し、密封状態では単位パネルが内圧によって外側に膨らみ、開封時に元の形状に復元し、復元する際に復元音を発する陽圧缶に関する。
【背景技術】
【０００２】
従来のこの種の陽圧缶としては、たとえば、特許文献１に記載のような陽圧缶が知られている。
この陽圧缶は、缶胴を有する缶本体と、缶本体を陽圧状態で密閉する缶蓋とを備え、缶胴の少なくとも一部に多面体壁を有し、多面体壁は凸条の境界稜線で区画された折り構造の多数の単位パネルで構成されている。単位パネルは、缶胴を部分的に窪ませた形状で、缶胴に作用する内圧によって窪みが小さくなる方向に弾性変形し、缶蓋の開封時に元の窪んだ形状に復元するようになっている。
このように、内容物を密封した状態では、内圧によって単位パネルの窪みによる凹凸が小さく、開封すると、窪み形状が復元し、缶胴の剛性を向上させると共に、視覚的に使用者に強い印象を与え、商品価値を高めるものであった。
【先行技術文献】
【特許文献】
【０００３】
【特許文献１】特許第３９１５４５０号公報
【発明の概要】
【発明が解決しようとする課題】
【０００４】
本発明者等は、この多面体壁を有する陽圧缶の商品価値をさらに高めるべく、鋭意研究した結果、開封時に単位パネルの形状が元の形状に復元する際に聞こえる復元音に着目した。
現行の製品についても、復元音が聞こえているものの、プルタブによる缶蓋の引き裂き音と、ガスが抜ける際のガス放出音が大きく先に聞こえ、その後に復元音が聞こえるために、使用者の注意を引かないということがわかった。
本発明の目的は、多面体壁を構成する単位パネルの復元音を大きくし、単位パネルが復元する視覚的効果と同時に聴覚的効果を加えた陽圧缶を提供することにある。
【課題を解決するための手段】
【０００５】
上記目的を達成するために、本発明は、
缶胴を有する缶本体と、該缶本体を陽圧状態で密閉する缶蓋とを備えた陽圧缶において、
前記缶胴の少なくとも一部に凸状の境界稜線によって区画された多数の単位パネルで構成される多面体壁を有し、
前記単位パネルは、内圧が加わらない自由状態では前記缶胴の中心軸線と平行方向の断面形状が缶胴の内方に円弧状に窪んだ形状で、前記缶胴に作用する内圧によって窪みが小さくなる方向に変形し、缶蓋の開封時に元の形状に復元し、復元する際に復元音を発する構成で、
前記各単位パネルの最大デプス変化量の平均値が、０．４６ｍｍ以上で、かつ、１．０８ｍｍ以下の範囲に設定されていることを特徴とする。
単位パネルは、単位パネルの少なくとも一部が境界稜線で区画された構成で、一部が開いた構成と、全周が境界稜線で囲まれた閉じた構成の両方が含まれる。
本発明のように、単位パネルが、缶胴の中心軸線と平行方向の断面形状が円弧状に窪んだ形状の場合には、内圧作用時の弾性歪量が大きくなり、内圧解放時に一気に開放されて復元音が大きく、前記各単位パネルの最大デプス変化量の平均値が、０．４６ｍｍ以上で、かつ、１．０８ｍｍ以下としておけば、復元音をガス放出音７０ｄＢよりも大きいレベルに維持することができることがわかった。
これにより、ガス放出音が聞こえた後でも、十分に聞き取りやすい大きさの復元音を生じさせることができ、単位パネルが復元する視覚的効果と同時に聴覚的効果が加わり、凹凸が現れる際の効果を高めることができる。
このパネルの復元音は、パネル１個当たりの大きさとパネル数に関係している。
最大デプス変化量の平均値が大きいと、パネル１個当たりの音圧レベルは大きくなるが、パネルの大きさを大きくする必要があるので、パネル数が少なくなり、全体としての復元音が低下していく。最大デプス変化量の平均値が１．０８ｍｍ以下であれば、パネル数が少なくなっても、復元音をガス放出音７０Ｂよりも大きいレベルに維持することができる。
最大デプス変化量の平均値が小さいと、パネル１個当たりの音圧レベルが小さくなるが、パネルの大きさを小さくしてパネル数を増やすことができ、全体としての復元音を大きくすることができる。ただ、限界があり、０．４６ｍｍ以上であれば、復元音を大きくすることができる。
また、他の発明は、缶胴を有する缶本体と、該缶本体を陽圧状態で密閉する缶蓋とを備えた陽圧缶において、
前記缶胴の少なくとも一部に凸状の境界稜線によって区画された多数の単位パネルで構成される多面体壁を有し、
前記単位パネルは、内圧が加わらない自由状態では前記缶胴の中心軸線と平行方向の断面形状が缶胴の内方に円弧状に窪んだ形状で、前記缶胴に作用する内圧によって窪みが小さくなる方向に変形し、缶蓋の開封時に元の形状に復元し、復元する際に復元音を発する構成で、
前記最大デプス変化量の最大値が、０．５９ｍｍ以上で、かつ、１．３１ｍｍ以下の範囲に設定されていることを特徴とする。
このように最大デプス変化量の最大値と平均値を用いることにより、最大デプス変化量が安定し、しかも最大値が大きく、より大きな復元音が得られる陽圧缶を実現できる。
【０００６】
また、本発明は次のように構成することができる。
１）前記復元音の音圧レベルを、前記缶胴から４０ｃｍ離れた位置において、７５ｄＢ以上に設定する。
ガス放出音は７０ｄＢ程度であり、７５ｄＢ程度あれば、ガス放出音の後でも十分に聞き取れる音のレベルとなる。
２）多面体壁は、缶胴の面積の２５％以上とする。
このようにすれば、効果的に音圧レベルを上げることができる。
３）前記単位パネルは、内圧が加わらない自由状態において、前記単位パネルの中心を前記缶胴の中心軸線と直交方向の断面形状が、直線状に対して前記缶胴の内方に窪んだ形状となっている。
缶胴の中心軸線と平行方向と直交方向の両方に湾曲しているので、内圧作用時の弾性歪量がより大きくなり、復元音がより大きくなる。
４）前記最大デプス変化量の平均値の大きさは、前記単位パネルの大きさと関係し、前記単位パネルの大きさが大きい方が前記最大デプス変化量が大きくなる関係で、前記単位パネルの大きさと単位パネルの数との関係は、前記単位パネルの大きさが大きい方が、前記単位パネルの個数は少なくなる関係となっている。
５）前記単位パネルの個数は、６５個以上で１１７個以下に設定されている。
単位パネルの個数を１１７より大きくしても、単位パネルの大きさが小さくなりすぎ、復元音が大きくならない。また、６５個より少ないと、単位パネルを大きくすることがで
きるが個数が少なくなり、復元音が大きくならない。
６）自由状態の多面体壁は、軸方向に山部と谷部が交互に形成される波打ち曲面が、周方向に複数形成され、前記波打ち曲面は、缶胴の中心軸線を通る中心面に対して対称形状の前記境界稜線を構成する波形稜線で区画されており、前記波形稜線間の間隔の狭い部分が波打ち曲面の山部、間隔の広い部分が谷部となっており、前記単位パネルは、波打ち曲面の一つの山部の頂部から谷部を経て次の山部の頂部までの領域であり、山部の頂部によって、上下の単位パネルが区分される構成である。
このような波打ち曲面構成の場合、特に、復元音を大きくすることができる。
７）最大デプス変化量は開封前の内圧が２０〜３００ｋＰａにおける最大デプス変化量、好ましくは１２０〜１５０ｋＰａとする。
内圧が高くなると、内圧作用状態のパネルデプスが浅くなり、内圧開放状態のパネルデプスとの差が大きくなり、結果的に最大デプス変化量は大きくなる。
本発明は、最大デプス変化量と復元音の間に一定の関係があることを見出したもので、内圧の好適な範囲としては、内圧作用時に、単位パネルの窪みが円筒に近くなるまで十分に変形させ、しかも塑性変形をできるだけ生じさせず、内圧開放時に元の窪み形状まで復帰させる程度の範囲であり、最大デプス変化量測定時の好ましい内圧の範囲としては２０〜３００ｋＰａ、より好ましい範囲としては、１２０〜１５０ｋＰａとする。
この内圧の条件設定は、陽圧缶の使用範囲を制限するものではなく測定時の条件を設定するものである。たとえば、１２０ｋＰａより低圧、あるいは１５０ｋＰａより高圧で使用されているとしても、この圧力範囲で測定したときに、最大デプス変化量が請求項に記載の範囲となるものを含むものとする。
【発明の効果】
【０００７】
本願発明によれば、多面体壁を構成する単位パネルの復元音を大きくし、単位パネルが復元する視覚的効果と同時に聴覚的効果を加えた陽圧缶を実現することができる。
【図面の簡単な説明】
【０００８】
【図１】図１は、本発明の実施の形態１に係る陽圧缶を示すもので、（Ａ）は内圧作用状態の正面図、（Ｂ）は内圧解放状態の正面図、（Ｃ）は（Ｂ）の一つの波打ち曲面を示す図、（Ｄ）は（Ｃ）のＤ−Ｄ線断面図、（Ｅ）は（Ｂ）のＥ―Ｅ線断面図である。
【図２】図２は、図１の陽圧缶の単位パネルを示すもので、（Ａ）は正面図、（Ｂ）は（Ａ）のＢ−Ｂ線断面図、（Ｃ）は（Ａ）のＣ−Ｃ線断面図である。
【図３】図３（Ａ）,（Ｂ）は、図１の陽圧缶に対して単位パネルのパネル数を変えた構成を示す内圧作用状態の正面図、（Ｃ）〜（Ｅ）は、単位パネルのパネル数と単位パネルの大きさの相違を示す説明図である。
【図４】図４は、本発明の実施の形態２に係る陽圧缶を示すもので、（Ａ）は内圧作用状態の正面図、（Ｂ）は内圧解放状態の正面図、（Ｃ）は（Ｂ）の一つの波打ち曲面を示す図、（Ｄ）は（Ｃ）のＤ−Ｄ線断面図、（Ｅ）は（Ｂ）のＥ―Ｅ線断面図である。
【図５】図５は、図４の陽圧缶の単位パネルを示すもので、（Ａ）は正面図、（Ｂ）は（Ａ）のＢ−Ｂ線断面図、（Ｃ）は（Ａ）のＣ−Ｃ線断面図である。
【図６】図６（Ａ）は、本発明の陽圧缶の最大デプス変化量の測定方法を示す図、（Ｂ）は陽圧缶の復元音の測定方法を示す図である。
【図７】図７は、単位パネルの最大デプス変化量の平均値と復元音の音圧レベルの関係を示すグラフである。
【図８】図８（Ａ）は、単位パネルのパネル数と最大デプス変化量の平均値の関係を示すグラフ、図８（Ｂ）は最大デプス変化量の平均値と（復元音の大きさ／パネル個数）との関係を示すグラフである。
【図９】図９は、単位パネルの最大デプス変化量の最大値と復元音の音圧レベルの関係を示すグラフである。
【発明を実施するための形態】
【０００９】
以下に本発明を図示の実施形態に基づいて詳細に説明する。
この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
［実施形態１］
図１は、本発明の実施形態１に係る陽圧缶を示すもので、図１（Ａ）は内圧作用状態、図１（Ｂ）は内圧開放状態を示している。
陽圧缶１は、缶胴２１を有する有底筒状の缶本体２と、缶本体２を陽圧状態で密閉する缶蓋３とを備え、缶胴２１の少なくとも一部に多面体壁２４を有している。缶本体２は、ストレートに延びる円筒形状の缶胴２１と、缶胴２１の上端の径を絞ったネック部２２と、底部２３とを有する構成で、ネック部２２上端の口部に缶蓋３が巻締め固定されている。
陽圧缶１は、アルミ合金製の絞りしごき缶であり、一般的に、その容量は１６０ｍｌ〜５００ｍｌ、５℃における缶内圧が２０〜３００［ｋＰａ］、缶胴２１の最薄部の板厚が０．０７５〜０．１３５［ｍｍ］、缶胴径が５０〜７０［ｍｍ］、缶高さが９０〜１７０［ｍｍ］の範囲で使用されている。
【００１０】
多面体壁２４には、軸方向に山部２６と谷部２７が交互に形成される波打ち曲面３０が、周方向に複数形成されている。この波打ち曲面３０は、図１（Ｃ），（Ｄ）に示すように、缶胴２１の中心軸線Ｎを通る中心面Ｍに対して対称形状の波形稜線２５１，２５２で区画されており、波形稜線２５１，２５２間の間隔の狭い部分が波打ち曲面３０の山部２６となり、間隔の広い部分が谷部２７となっている。単位パネル２５は、波打ち曲面３０の一つの山部２６の頂部２６ａから谷部２７を経て次の山部２６の頂部２６ａまでの領域で、山部２６の頂部２６ａによって、上下の単位パネル２５が区分される。すなわち、この実施形態では、波形稜線２５１，２５２によって単位パネル２５の全周が画定されるのではなく、一部は開いた構成で、山部２６の頂部２６ａによって区分されるようになっている。この例では、山部２６で区分されているが、波形稜線２５１，２５２の間隔が狭い部分が接触していてもよく、その場合には全周が境界稜線によって区画される。
互いに隣り合う波打ち曲面３０，３０の単位パネル２５の軸方向の位相は、単位パネルの軸方向長さの半分だけずれており、単位パネル２５が軸方向及び周方向に密に配列されている。
【００１１】
波打ち曲面３０の、缶胴２１の中心軸線Ｎと直交方向の断面は、山部２６の頂部２６ａの位置で缶胴２１の中心軸線Ｎと直交方向に切断した断面（水平断面）は、図１（Ｅ）に示すように、山部２６の頂部２６ａの部分が狭く、単位パネル２５の中間位置が広い多角形状となっている。単位パネル２５の中間位置の水平断面は、内圧が加わっていない状態で、直線状に対して、缶胴２１の内方に向かって円弧状に窪んでいる。図示例では、山部２６を挟んで単位パネル２５が１３面形成されているが、波打ち曲面３０の数としては２６面あり、隣り合う波打ち曲面３０,３０は半位相ずれているので、山部２６の頂部２６
ａの位置での水平断面は１３面となる。また、図示例では、単位パネル２５が４個の波打ち曲面３０と、３個の波打ち曲面３０が交互に形成されており、単位パネル２５の数は全部で９１個となっている。
多面体壁２４は、図示例では、缶胴２１の軸方向中途部分に、帯状に設けられ、多面体壁２４の上部及び下部領域は、凹凸の無い円筒面となっている。多面体壁２４の面積は、図示例では、缶胴２１のネック部２２を除いた円筒部分に対して７０％程度となっているが、復元音の大きさを考慮し、缶胴の２５％以上、好ましくは５０％以上とすることが、好適である。
多面体壁２４は、内圧作用状態では、図１（Ａ）に示すように、各波打ち曲面３０が軸方向に直線的に変形し、全体として凹凸の無い円筒面となる。各単位パネル２５は、水平
断面において、円弧状に変形し、窪みがなくなる。
そして、缶蓋３の開封時に、図１（Ｂ）に示すように、各単位パネル２５は元の形状に復元し、復元する際に復元音を発する構成となっている。
この実施形態では、単位パネル２５が、缶胴２１の中心軸線Ｎと平行方向と直交方向の両方に湾曲しているので、内圧作用時の弾性歪量が大きくなり、内圧解放時に一気に開放されて復元音が大きい。
【００１２】
この単位パネル２５の変形状態について、図２を参照して、詳細に説明する。
図２（Ａ）は、単位パネル２５の正面図、（Ｂ）は（Ａ）のＢ−Ｂ線断面図、（Ｃ）は（Ａ）のＣ−Ｃ線断面図である。図２（Ｂ），（Ｃ）において、破線は内圧作用状態、実線が内圧解放時の復元状態を示している。
この実施形態における単位パネル５のパネルデプスは、上下の２つの頂部２６ａを結ぶ線から、パネル中心ｍ２までの、缶胴２１の中心軸線Ｎと直交方向の距離であり、最大デプス変化量ｄｍａｘは、内圧作用状態および内圧開放状態における前記パネルデプスの変化量である。
単位パネル５は、図２（Ａ）に示すように、波打ち曲面３０の一つの山部２６の頂部２６ａから谷部２７を経て次の山部２６の頂部２６ａまでの領域で、互いに交差しない一対の波形稜線２５１，２５２によって区画されている。
波形稜線２５１，２５２は、軸方向に、凹円弧稜線２５１ｂ、２５２ｂと凸円弧稜線２５１ａ，２５２ａが交互に繰り返し形成されるもので、中心面Ｍに対して、互いの凹円弧稜線２５１ｂ、２５２ｂと凸円弧稜線２５１ａ，２５２ａが対称的に対向している。谷部２７の領域では、凹円弧稜線２５１ｂ，２５２ｂが対向して樽形状に、上下の山部２６は、凸円弧稜線２５１ａ，２５２ａの頂点ａ１、ａ２までの部分が対向し、徐々に幅狭になる形状となっている。
この凸円弧稜線２５１ａ，２５２ａの頂点ａ１，ａ２は、波打ち曲面３０の山部２６の頂部２６ａに位置するもので、単位パネル２５の上下に折り目となる稜線はなく、山部２６の頂部２６ａで区分されている。また、凹円弧稜線２５１ｂ，２５２ｂの最大幅となる頂点ｂ１，ｂ２の位置は、隣接する単位パネル２５の山部２６の頂部２６ａが位置しており、単位パネル２５の凹円弧稜線２５１ｂ，２５２ｂの頂点ｂ１，ｂ２と、凸円弧稜線２５１ａ，２５２ａの頂点ａ１，ａ２は、缶胴２１の円筒面とほぼ一致する仮想円筒面上に位置している。仮想円筒面は、図２（Ｂ），（Ｃ）の単位パネル２５の内圧作用時の破線の位置に対応する。
単位パネル２５のパネル中心ｍ２は、中心面Ｍ上であって、最大幅となる凹円弧稜線２５１ｂ，２５２ｂの頂点ｂ１，ｂ２を結ぶ仮想横線Ｘとの交点であり、単位パネル２５を構成する波打ち曲面３０の谷部２７の、仮想円筒面からの最深部である。また、このパネル中心ｍ２は、上下の山部２６の頂部２６ａ，２６ａの中間位置でもある。
【００１３】
パネル中心ｍ２は、図２（Ｂ）の実線で示すように、缶胴２１の内方に向かって円弧状に窪んだ形状となっている。内圧作用状態では、図２（Ｂ）に破線で示すように、円弧状に窪んだ単位パネル２５が，缶胴２１の中心軸線Ｎと平行に延ばされるように変形し、パネル中心ｍ２が、上下の山部２６の頂部２６ａ，２６ａを結ぶ線に近い位置まで変位する。水平断面で見ると、図２（Ｃ）に破線で示すように、円弧状に変形している。
一方、内圧が開放されると、図２（Ｂ）に実線で示すように、単位パネル５は、円弧形状に復元し、パネル中心ｍ２は最深部に戻る。水平断面で見ると、図４（Ｃ）に示すように、破線の円弧状から実線の容器内方に窪む円弧形状に復元する。
このパネル中心ｍ２が単位パネル２５の最も大きく変位する部分であり、このパネル中心ｍ２の内圧作用状態および内圧開放状態における前記パネルデプスの変化量が、最大デプス変化量ｄｍａｘであり、各単位パネルの最大デプス変化量ｄｍａｘの平均値が、０．４６ｍｍ以上で、かつ、１．０８ｍｍ以下の範囲に設定される。
この内圧の条件設定は、陽圧缶の使用範囲を制限するものではなく測定時の条件を設定
するものである。たとえば、１２０ｋＰａより低圧、あるいは１５０ｋＰａより高圧で使用されているとしても、この圧力範囲で測定したときに、この範囲となるものを含むものとする。
本実施形態では、境界稜線が角の無い円弧形状の波形稜線２５１，２５２であり、最大デプス変化量ｄｍａｘが大きく変化し、より大きな復元音が生成される。変形しやすいために、ガス放出音と復元音の間隔が短くなるが、充分に聞き取ることができる。
なお、各単位パネル２５が復元する際に変形する復元領域は、図２（Ａ）に示すように、谷部２７を構成する凹部境界稜線２５１ｂを通る仮想円弧３１（図中、二点鎖線）で囲まれた領域であり、単位パネル２５の領域よりも狭い領域である。形状は真円を基本とするが、多面体壁の軸方向範囲の制約から楕円状となる場合もある。
後述の評価試験結果に示す通り、最大デプス変化量ｄｍａｘの平均値を、０．４６ｍｍ以上で、かつ、１．０８ｍｍ以下の範囲に設定することにより、復元音をガス放出音７０ｄＢよりも大きいレベルに維持できることがわかった。最大デプス変化量ｄｍａｘの平均値の大きさは、単位パネル２５の大きさと関係し、単位パネル２５の大きさが大きい方が最大デプス変化量ｄｍａｘが大きくなる関係となっている。また、単位パネル２５の大きさと単位パネル２５の数との関係は、単位パネルの大きさが大きい方が、単位パネル２５の個数は少なくなる関係となっている。
鋭意研究した結果、このパネルの復元音は、単位パネル２５の１個当たりの大きさとパネル数に関係しており、最大デプス変化量ｄｍａｘの平均値が大きいと、パネル１個当たりの音圧レベルは大きくなるが、単位パネル２５の大きさを大きくする必要があるので、パネル数が少なくなり、全体としての復元音が低下していく。１．０８ｍｍ以下であれば、パネル数が少なくなっても、復元音をガス放出音７０Ｂよりも大きいレベルに維持することができる。
最大デプス変化量ｄｍａｘの平均値が小さいと、パネル１個当たりの音圧レベルが小さくなるが、パネルの大きさを小さくしてパネル数を増やすことができ、全体としての復元音を大きくすることができる。ただ、限界があり、０．４６ｍｍ以上であれば、復元音を大きくすることができる。
単位パネル２５のパネル数としては、この例では９１個であるが、６５個以上で１１７個以下に設定することが好ましい。
単位パネル２５の個数が１１７より大きくなると、単位パネル２５の大きさが小さくなり過ぎ、復元音があまり大きくならない。また、６５個より少ないと、パネルは大きくできるが個数が少なくなり、復元音が低下する。
【００１４】
この単位パネルの個数を変えた例を、図３を参照して説明する。
図３（Ａ）は単位パネルが６５個の例、図３（Ｂ）は１１７個の例を示している。
いずれも、波打ち曲面３０の数は、図１と同様に２６面であり、隣り合う波打ち曲面３０の単位パネル２５の個数が１つ異なる構成となっている。一つ少ない側の波打ち曲面を３０（ｎ）、一つ多い側の波打ち曲面を３０（ｎ+１）とすると、６５個の場合は、単位
パネル２５が２個の波打ち曲面３０（ｎ）と、３個の波打ち曲面３０（ｎ+１）が周方向
に交互に配列されている。図３（Ｂ）に示す１１７個の場合には、単位パネル２５が４個の波打ち曲面３０（ｎ）と５個の波打ち曲面３０（ｎ+１）が周方向に交互に配列されて
いる。
図示するように、パネル数が多くなるにつれて、単位パネル２５の大きさが小さくなっている。すなわち、パネル数が６５の単位パネル２５が最も大きく（図３（Ａ））、パネル数が９１個の単位パネル２５が中間（図１（Ａ））、パネル数が１１７個の単位パネル２５が最も小さくなっている（図３（Ｂ））。
多面体壁２４の面積は、図３（Ｂ）の１１７個の場合は、図１に示した９１個の場合と同様に、ネック部２２を除いた円筒部分に対して７０％程度となっているが、図３（Ａ）の６５個の場合は、波打ち曲面３０が短く、６０％程度となっている。
図３（Ｃ）〜（Ｅ）には、各単位パネル２５の大きさを比較して示している。
図では、各単位パネル２５の谷部２７の水平方向の最大幅をｇ、単位パネル２５の最小幅（山部２６の最小幅）をｈ、軸方向長さをｉとし、それぞれカッコ書きでパネル数を入れて区別するものとする。最大幅ｇは、上記した図２（Ａ）における頂点ｂ１、ｂ２間の寸法、最小幅ｈは、図２（Ａ）における頂点ａ１，ａ２間の寸法である。また、軸方向長さｉは、図２（Ａ）における、上下の山部２６の頂部２６ａ,２６ａ間の寸法である。
最大幅ｇは、
ｇ（６５）＞ｇ（９１）＞ｇ（１１７）
であり、軸方向長さｉは、
ｉ（６５）＞ｉ（９１）＞ｉ（１１７）
と、パネル数が多くなるにしたがって小さくなっている。
一方、水平方向の最小幅ｈは、
ｈ（６５）＜ｈ（９１）＜ｈ（１１７）
と、パネル数が多くなるにしたがって大きくなっている。
波打ち曲面の面数は２６面なので、最大幅ｇと最小幅ｈを足し合わせた値は、６５個、９１個、１１７個のいずれも同一であり、最大幅ｇと最小幅ｈの比率が異なっている。
また、各単位パネル２５が復元する際に変形する復元領域は、上記したように、谷部２７を構成する凹部境界稜線２５１ｂを通る仮想円弧３１（図２（Ａ）中、２点鎖線）で囲まれた領域であり、この谷部２７を含む復元領域の面積をＳとすると、復元領域の面積Ｓも、
Ｓ（６５）＞Ｓ（９１）＞Ｓ（１１７）
と、パネル数が多くなるにしたがって小さくなっている。
要するに、この実施形態における単位パネル２５のパネル数の設定は、缶高さ及び胴径が同一で、波打ち曲面３０の面数が一定（２６面）の缶を前提とし、各単位パネル２５の軸方向長さｉを変えることによって、各波打ち曲面３０中の単位パネルの数を変更することにより、缶全体のパネル数を設定している。すなわち、パネル数を増やす場合には、軸方向長さｉを短くし、パネル数を減らす場合には、軸方向長さｉを長くしている。復元領域の面積Ｓ及び単位パネル２５の面積S１は、軸方向長さｉによって定まり、短いと面積
が小さく、長いと面積が大きくなる。多面体壁２４は、基本的に折り構造で周長は一定であり、各単位パネル２５の形状および大きさは同じなので、単位パネル２５の形状に関わらず、たとえば、最大幅ｇや最小幅ｈの寸法に関わらず、缶の胴径をＤとすると、単位パネル面積Ｓ１は、次の関係で定まる。
Ｓ１＝π*Ｄ*ｉ／２６
上記した６５個、９１個、１１７個のパネル数は、各波打ち曲面３０に一つずつ増やした例で、パネル数としては、段階的に２６ずつ増えている。しかし、波打ち曲面３０の軸方向長さｉが缶胴に対して寸法的に許されれば、単位パネル２５の軸方向長さｉが同じ長さのままで、パネル数を増やすことも可能である。
単位パネル２５の最大デプス変化量ｄｍａｘは、復元領域の大きさ、すなわち、復元領域の面積Ｓに関わる軸方向長さiと、最大幅ｇに影響を受ける。この軸方向長さｉが単位
パネル２５の数と相関関係があり、数が多いと軸方向長さｉが短くなり、最大幅ｇも小さくなるので、最大デプス変化量ｄｍａｘは小さくなる。また、数が少ないと、軸方向長さｉは長くなり、最大幅ｇも大きくとれるので、最大デプス変化量ｄｍａｘは大きくなる。
なお、上記実施形態では、波打ち曲面３０の面数を２６面としているが、波打ち曲面３０の面数を変えても構わない。
【００１５】
［最大デプス変化量ｄｍａｘの調整］
最大デプス変化量ｄｍａｘは、たとえば、空缶時のパネルデプスを調整することによって調整可能である。すなわち、谷部２７の水平断面（缶胴２１の中心軸線Ｎと直交方向の断面）は缶胴２１の内方に向かって窪む円弧形状となっているが、この湾曲度合を変化させて空缶時のパネルデプスを変化させることによって、最大デプス変化量ｄｍａｘを調整することができる。すなわち、空缶時のパネルデプスを大きくすれば、最大デプス変化量
ｄｍａｘが大きくなり、空缶時のパネルデプスを小さくすれば最大デプス変化量ｄｍａｘは小さくなる。
さらに、谷部２７における水平断面を直線状、あるいは直線状より外側に円弧状に湾曲させてもよく、このようにすれば、最大デプス変化量ｄｍａｘをより小さくすることができる。
【００１６】
［実施形態２］
以下、図４及び図５を参照して、谷部２７における水平断面を直線状とした例について説明する（実施形態２）。以下の説明では、主として上記実施形態１と異なる点についてのみ説明するものとし、同一の構成部分については、同一の符号を付してその説明は省略する。
図４は、内圧が加わらない自由状態（空缶状態）において、単位パネル２５の中心を通り缶胴の中心軸線Ｎと直交方向の単位パネル２５の断面形状を、直線状とした例を示している。
この場合、山部２６の頂部２６ａの位置で缶胴２１の中心軸線Ｎと直交方向に切断した断面（水平断面）は、図４（Ｅ）に示すように、山部２６の頂部２６ａの部分が狭く、単位パネル２５の中間位置が広い直線状の辺を備えた多角形状となっている。
図示例では、山部２６を挟んで単位パネル２５が１２面形成されている。波打ち曲面３０の数としては２４面であり、隣り合う波打ち曲面３０,３０は半位相ずれているので、
山部２６の頂部２６ａの位置での水平断面は１２面となる。また、単位パネル２５が４個の波打ち曲面３０と、３個の波打ち曲面３０が交互に計２４面形成されており、単位パネル２５の数は全部で８４個である。
【００１７】
図５は、図４の単位パネルの詳細図である。
図５（Ａ）は、単位パネル２５の正面図、（Ｂ）は（Ａ）のＢ−Ｂ線断面図、（Ｃ）は（Ａ）のＣ−Ｃ線断面図である。図５（Ｂ），（Ｃ）において、破線は内圧作用状態、実線が内圧解放時の復元状態を示している。
この実施形態２における単位パネル５のパネルデプスは、上下の２つの頂部２６ａを結ぶ線から、パネル中心ｍ２までの、缶胴２１の中心軸線Ｎと直交方向の距離であり、最大デプス変化量ｄｍａｘは、内圧作用状態および内圧開放状態における前記パネルデプスの変化量である。
【００１８】
パネル中心ｍ２は、図５（Ｂ）の実線で示すように、缶胴２１の内方に向かって円弧状に窪んだ形状となっている。内圧作用状態では、図５（Ｂ）に破線で示すように、円弧状に窪んだ単位パネル２５が，缶胴２１の中心軸線Ｎと平行に延ばされるように変形し、パネル中心ｍ２が、上下の山部２６の頂部２６ａ，２６ａを結ぶ線に近い位置まで変位する。水平断面で見ると、図５（Ｃ）に破線で示すように、円弧状に変形している。
一方、内圧が開放されると、図５（Ｂ）に実線で示すように、単位パネル５は、円弧形状に復元し、パネル中心ｍ２は最深部に戻る。水平断面で見ると、図５（Ｃ）に示すように、破線の円弧状から実線の直線状に復元する。
このように、単位パネル２５の中心ｍ２を通る単位パネル２５の水平方向断面を直線状とした場合でも、実施形態１と同様に、境界稜線が角の無い円弧形状の波形稜線２５１,
２５１であり、最大デプス変化量ｄｍａｘは、大きく変化し、大きな復元音が生成される。
この実施形態２においても、各単位パネルの最大デプス変化量ｄｍａｘの平均値を、０．４６ｍｍ以上で、かつ、１．０８ｍｍ以下の範囲に設定することにより、復元音をガス放出音７０ｄＢよりも大きいレベルに維持できる。
本実施形態２でも、単位パネル２５のパネル数は、上記実施形態１と同様に、６５個以上で１１７個以下に設定される。図示例では、波打ち局面３０が２４面であるので、たとえば、実施形態１の図３（Ｂ）に示したように、４個と５個の波打ち曲面の組み合わせで
は１０８個で、１１７個以下の範囲となる。図３（Ａ）に示した２個と３個の波打ち曲面の組み合わせでは６０個となり、６５個を下回ってしまうが、たとえば、３個と３個の波打ち曲面の組み合わせとすれば７２個となり、６５個以上とすることができる。
もちろん、波打ち曲面の数を、実施形態１と同様に２６面としてもよく、その場合には、単位パネルのパネル数を、実施形態１と同様の構成とし、６５個（図１）、９１個（図３（Ａ））、１１７個（図３（Ｂ））の構成とすることができる。
【００１９】
［評価試験］
以下に、復元音の評価試験について説明する。
評価試験は、次の４つのサンプルを用意した。いずれも、実施形態１に記載の、内圧が加わらない自由状態において、単位パネルの水平断面形状が、直線状に対して缶胴の内方に窪んだ形状となっている構成である。
（サンプル１）波打ち曲面数：２６面、パネル面積Ｓ：８２ｍｍ２、パネル数：１１７個、多面体壁面積：缶胴の７０％、最大デプス変化量が大きくなるようにパネルデプスを調整。波打ち曲面数は高さが半位相ずれた面も１面と数える。
（サンプル２）波打ち曲面数：２６面、パネル面積Ｓ：１０９ｍｍ２、パネル数：９１個、多面体壁面積：缶胴の７０％、最大デプス変化量が大きくなるようにパネルデプスを調整。波打ち曲面数は高さが半位相ずれた面も１面と数える。
（サンプル３）波打ち曲面数：２６面、パネル面積Ｓ：１３８ｍｍ２、パネル数：６５個、多面体壁面積：缶胴の６０％、最大デプス変化量が大きくなるようにパネルデプスを調整。波打ち曲面数は高さが半位相ずれた面も１面と数える。（サンプル４）波打ち曲面数：２６面、パネル面積Ｓ：１０９ｍｍ２、パネル数：９１個、多面体壁面積：缶胴の７０％、最大デプス変化量が大きくなるようにパネルデプスを調整。波打ち曲面数は高さが半位相ずれた面も１面と数える。
【００２０】
（試験条件）
評価試験の条件は、次の通りである。
・温度：５℃保管（液温は６．５〜８℃）、
・缶内圧：１２０〜１５０ｋＰａ
・缶胴の板厚：０．０９２〜０．１２２ｍｍ
・缶胴径：６６．５〜６７ｍｍ
・缶高さ：１２１．８〜１２２．２ｍｍ
・内容量：３５０ｍｌ
（試験方法）
最大デプス変化量ｄｍａｘは、内圧作用状態でのパネルデプスを測定し、次に内圧開放状態でのパネルデプスを測定し、その差を計測して求める。パネルデプスの測定方法は、図６（Ａ）に示すように、陽圧缶１のボトム側をバキュームにより水平に保持し、デジマチックインジゲータ１００（「デジマチック」は「株式会社ミツトヨ」の登録商標）の測定子１０１を、垂直に山部２６の頂部２６ａに当ててその高さをゼロ点とし、陽圧缶１を中心軸線Ｎ方向にスライドさせ、デジマチックインジゲータ１００を各単位パネル２５の谷部２７のパネル中心ｍ２に合わせ、測定子１０１を谷部２７のパネル中心ｍ２に当てて高さを読み取って求める。
デジマチックインジケータ１００は、水平の台上に垂直に立設されるスタンド１０２に固定される支持腕１０３に支持され、姿勢を垂直に保持される。一方、スタンド１０２のデジマチックインジケータ１００の下方位置に、陽圧缶１を保持し、陽圧缶１の中心軸線Ｎに沿って水平に移動させる水平移動機構１０４が設けられている。水平移動機構１０４は、陽圧缶１の口部を保持する保持部１０５と、保持部１０５を水平に移動させるシリンダ機構や送りねじ機構等の伸縮部１０６とを備えた構成となっている。
パネルデプスは全ての単位パネル２５で求め、各単位パネル２５の内圧作用状態および内圧開放状態でのパネルデプスの差を最大デプス変化量ｄｍａｘとし、各単位パネルの最
大デプス変化量ｄｍａｘの平均値を計算する。測定数は３缶で、各単位パネルの最大デプス変化量ｄｍａｘの平均値と最大値の、測定数３缶に対する平均値（ａｖｅ）、最大値（ｍａｘ）、最小値（ｍｉｎ）を求めた。デジマチックインジゲータは、「株式会社ミツトヨ」製、型番ＩＤ−Ｃ１０１２、測定子１０１は、「株式会社ミツトヨ」製、型番１３７４１３を用いた。サンプル４については、最大値のみである。
一方、復元音の測定は、図５（Ｂ）に示すように、缶から４０ｃｍ離した位置で騒音計１２０を設置し、音の大きさを測定した。この４０ｃｍは、マイク１２１と陽圧缶１と間の距離Ｌである。４０ｃｍの意味は、実際の開口時の缶と耳のおおよその距離を意味している。また、騒音計１２０は、床置きとし、台１２２によって、マイク１２１の高さを、床から６０ｃｍ程度の高さに保持した。測定値は時間軸の波形データとして得られる。陽圧缶１を開口すると、始めにプルタブによる缶蓋の引き裂き音が発生し、次いでガス放出音、復元音の順に発生するので、復元音の部分の波形データの最大値を復元音の音圧レベルとしている。周波数重み付け特性はＡ特性で、時間重み付け特性はFとしている。測定
数は３缶で、復元音の平均値（ａｖｅ）、最大値（ｍａｘ）、最小値（ｍｉｎ）を求めた。
騒音計１２０としては、「リオン株式会社」製、型番ＮＬ−４２を用い、マイク１２１の先端にはウインドスクリーンＷＳ−１０を取り付けている。
（測定結果）
測定結果は、表１に示す通りである。
【００２１】
【表１】
2019131292.tif 000003
【００２２】
（最大デプス変化量の平均値と復元音との関係）
まず、サンプル１−３を用いて、最大デプス変化量の平均値と復元音の大きさとの関係について説明する。
パネル数が１１７個のサンプル１では、最大デプス変化量の平均値が最小値（ｍｉｎ）：０．４６ｍｍ、最大値（ｍａｘ）：０．４７ｍｍ、平均値（ａｖｅ）：０．４６ｍｍで、復元音の大きさは８０〜８３ｄＢ、（復元音の大きさ／パネル個数）は、０．６８〜０
．７１ｄＢであった。
パネル数が９１個のサンプル２では、最大デプス変化量の平均値が最小値（ｍｉｎ）：０．７６ｍｍ、最大値（ｍａｘ）：０．７７ｍｍ、平均値（ａｖｅ）：０．７６ｍｍで、復元音の大きさは８０〜８１ｄＢ、（復元音の大きさ／パネル個数）は、０．８８〜０．８９ｄＢであった。
パネル数が６５個のサンプル３では、最大デプス変化量の平均値が最小値（ｍｉｎ）：１．０６ｍｍ、最大値（ｍａｘ）：１．０８ｍｍ、平均値（ａｖｅ）：１．０７ｍｍで、復元音の大きさは７６〜７８ｄＢ、（復元音の大きさ／パネル個数）は、１．１７〜１．２０ｄＢであった。
なお、表１における（復元音の大きさ／パネル個数）は、復元音の大きさをパネル個数で単純に割った値であり、各パネル１個が独立した音源と考えたときの、各パネル１個の音圧レベルのｄＢ値を反映したものではない。測定された復元音が、各パネル１個の音圧レベルの和として計算すると、各パネル１個当たりの音圧レベルは、サンプル１が６１．３ｄＢ、サンプル２では６１．４ｄＢ、サンプル３では５７．９ｄＢである。
図７は、測定結果を、最大デプス変化量の平均値を横軸に、復元音を縦軸にとったグラフである。サンプル１（パネル数１１７個）を丸（〇）、サンプル２（パネル数９１個）を四角（□）、サンプル３（パネル数６５個）を三角（△）で示している。
すなわち、最大デプス変化量ｄｍａｘの平均値について、最小値と最大値を含めて、０．４６ｍｍ〜１．０８ｍｍにおいて、復元音は、７６ｄＢ〜８３ｄＢの音圧レベルが得られている。
スコア破断時の音圧レベルは、約６０ｄＢ、ガス放出音は７０ｄＢであり、復元音が最低のサンプル１（７６ｄＢ）でも、ガス放出音に対して６Ｂ高く、明瞭に復元音を認識することができた。
ガス放出音の７０ｄＢに対して５ｄＢ以上大きければ、音圧レベルは、ガス放出音に対して２倍程度大きくなり、明瞭となる。
【００２３】
図８（Ａ）は、パネル数と最大デプス変化量の平均値の関係を示すグラフ、図８（Ｂ）は最大デプス変化量の平均値と（復元音の大きさ／パネル個数）との関係を示すグラフである。
図８（Ａ）に示すように、パネル数が６５個から１１７個の範囲で、最大デプス変化量ｄｍａｘの平均値は、パネル数が増加すると、直線的に減少する比例関係にある。次式は、最大デプス変化量ｄｍａｘの平均値の平均値（ａｖｅ）とパネル数（Ｎ）の関係を、勾配をＫ１、切片をＭ１とする直線Ｆで近似したものである（最小自乗法）。
ｄｍａｘ（ａｖｅ）＝Ｋ１＊Ｎ＋Ｍ１
Ｎはパネル数
Ｋ１＝−０．０１２（ｍｍ/個）
Ｍ１＝１．８６
上記勾配Ｋ１はそのままで、Ｍ１を、１．８０≦Ｍ１≦１．９０の範囲とすれば、最大デプス変化量ｄｍａｘの平均値の平均値（ａｖｅ）、最大値（ｍａｘ）及び最小値（ｍｉｎ）は、すべて、上記数式の範囲に含まれる。
したがって、パネル数が６５個から１１７個の範囲で、ｄｍａｘとＮの関係が、上記範囲内であれば、復元音が７６ｄＢ以上となる。
一方、最大デプス変化量ｄｍａｘの平均値と復元音の関係は、図８（Ｂ）に示すように、（復元音の大きさ（Ｑ）／パネル個数（Ｎ））を計算すると、最大デプス変化量ｄｍａｘの平均値が増加すると直線的に増加する比例関係となった。次式は、（復元音の大きさ（Ｑ）／パネル個数（Ｎ））と最大デプス変化量（ｄｍａｘ）の平均値の関係を、勾配をＫ２、切片をＭ２とする直線Ｇで近似したものである（最小自乗法）。
Ｑ／Ｎ（ｄＢ／個）＝Ｋ２＊ｄｍａｘ＋Ｍ２
Ｋ２＝０．７７
Ｍ２＝０．３３
上記勾配Ｋ２はそのままで、Ｍ２を、０．２９≦Ｍ２≦０．３７の範囲とすれば、Ｑ／Ｎの平均値（ａｖｅ）、最大値（ｍａｘ）及び最小値（ｍｉｎ）は、すべて、上記数式の範囲に含まれる。
これらの関係式から、パネル数が６５〜１１７の範囲で、最大デプス変化量が決まれば、パネル数及び復元音の大きさを予測することができる。また、パネル数、復元音及びパネル数に応じて、最大デプス変化量の適正量を予測することができ、最大デプス変化量の調整幅を数値的に設定することが可能となる。
【００２４】
（最大デプス変化量の最大値と復元音との関係）
次に、図９を参照して、最大デプス変化量の最大値と復元音の大きさとの関係について説明する。
サンプル１では、最大デプス変化量の最大値が最小値（ｍｉｎ）：０．５９ｍｍ、最大値（ｍａｘ）：０．６５ｍｍ、平均値（ａｖｅ）：０．６２ｍｍで、復元音の大きさは８０〜８３ｄＢであった。
サンプル２では、最大デプス変化量の最大値が最小値（ｍｉｎ）：０．９４ｍｍ、最大値（ｍａｘ）：０．９５ｍｍ、平均値（ａｖｅ）：０．９４ｍｍで、復元音の大きさは８０〜８１ｄＢであった。
サンプル３では、最大デプス変化量の最大値が最小値（ｍｉｎ）：１．２８ｍｍ、最大値（ｍａｘ）：１．３１ｍｍ、平均値（ａｖｅ）：１．３０ｍｍで、復元音の大きさは７６〜７８ｄＢであった。
サンプル４では、最大デプス変化量の最大値の平均値（ａｖｅ）：１．００ｍｍで、復元音の大きさは８３ｄＢであった。
すなわち、最大デプス変化量ｄｍａｘの最大値については、最小値と最大値を含めて、０．５９ｍｍ以上１．３１ｍｍ以下の範囲において、復元音は、７６ｄＢ〜８３ｄＢの音圧レベルが得られている。
このように最大デプス変化量ｄｍａｘで設定しても、ガス放出音に対して明瞭に復元音を認識することができる。
【００２５】
なお、上記実施形態では、波打ち曲面３０の面数が一定の缶を前提とし、各単位パネル２５の軸方向長さｉを変えることによって、各波打ち曲面３０中の単位パネルの数を変更することにより、缶全体のパネル数を設定するような構成の陽圧缶について説明したが、本発明は、このような陽圧缶に限定されるものではなく、波打ち曲面の面数や単位パネルのパネル数に関わらず、要するに、各単位パネルの最大デプス変化量の平均値が、０．４６ｍｍ以上で、かつ、１．０８ｍｍ以下の範囲、あるいは単位パネルの最大デプス変化量の最大値が、０．５９ｍｍ以上、かつ、１．３１ｍｍ以下の範囲に設定されている陽圧缶全般に広く適用可能である。
また、多面体壁を構成する単位パネルについて、上記実施形態１,２では、境界稜線が
波形形状の場合について説明したが、波形形状に限らず、ジグザグ状、矩形波状、種々の周期的な形状とすることができる。
【符号の説明】
【００２６】
１    陽圧缶、
２    缶本体
２１    缶胴、２２    ネック部、２３    底部、
３    缶蓋
６    タブ
２４    多面体壁
２５    単位パネル
２５１，２５２    波形稜線、
３０    波打ち曲面
２６    山部、２６ａ    頂部
２７    谷部
１００    デジマチックインジケータ
１２０    騒音計
Ｍ        中心面
Ｎ        中心軸線
ｄｍａｘ  最大デプス変化量
ｍ２      パネル中心
【図１】
2019131292.tif 000004
【図２】
2019131292.tif 000005
【図３】
2019131292.tif 000006
【図４】
2019131292.tif 000007
【図５】
2019131292.tif 000008
【図６】
2019131292.tif 000009
【図７】
2019131292.tif 000010
【図８】
2019131292.tif 000011
【図９】
2019131292.tif 000012